(57)【特許請求の範囲】
【請求項１】
机の天板下方の後側に設けられるディスプレイ収納部内に、ディスプレイを前記収納部内から天板上方までの間で、スイッチの押圧操作により駆動するモーターで昇降される昇降台が設けられるとともに、前記昇降台は、基体部と、ディスプレイを支持するとともにスライドレールを介して基体部に対して前後方向に移動可能に設けられたディスプレイ支持部とからなり、前記ディスプレイ支持部には、前記基体部に当接するスイッチセンサが設けられ、前記ディスプレイ支持部が前記基体部から引き出された時に、前記スイッチセンサが前記基体部から離間されることで、前記ディスプレイ支持部が基体部に対して前方に移動されていることを検知して前記昇降台の駆動電源をＯＦＦとし、前記昇降台の昇降作動を停止する作動停止手段が設けられていることを特徴とするディスプレイを内蔵する机。
【発明の詳細な説明】
【０００１】
【発明の属する技術分野】
本発明は、パソコンやテレビ等に用いられるディスプレイを内蔵する机に関する。
【０００２】
【従来の技術】
従来、パソコン等のディスプレイが机の天板上に出没自在に装着された机として、例えば特公平６−２２４８６号公報や、特開昭６３−４３６０７号公報等が開示されている。これらの机は、使用時においてディスプレイが天板上に出現され、非使用時においてはディスプレイが天板下方に収納されて、天板上面を広く有効に利用することが出来るようになっている。
【０００３】
【発明が解決しようとする課題】
しかしながら、このようにディスプレイが天板上面に出没自在に設けられた机においては、通常使用時において天板上を出来る限り広く使えることが好ましいため、ディスプレイの収納位置が机の特に後側寄りに設けられることが多く、さらに特に天板が広い机等に適用される場合、ディスプレイが使用者側から離れすぎて見にくくなることがあった。
【０００４】
このような場合、天板上に出現したディスプレイを昇降台から外し、ディスプレイを引き寄せて利用することも考えられるが、昇降時におけるディスプレイの昇降台からの脱落や、ディスプレイの盗難等の防止を考慮してディスプレイが昇降台に固定されており、ディスプレイを引き寄せて使用することは出来なかった。
【０００５】
本発明は、このような問題点に着目してなされたもので、天板上に出現したディスプレイを机においてディスプレイを見やすい位置まで移動して利用できるディスプレイを内蔵する机を提供することを目的とする。
【０００６】
【課題を解決するための手段】
上記課題を解決するために、本発明のディスプレイを内蔵する机は、机の天板下方の後側に設けられるディスプレイ収納部内に、ディスプレイを前記収納部内から天板上方までの間で、スイッチの押圧操作により駆動するモーターで昇降される昇降台が設けられるとともに、前記昇降台は、基体部と、ディスプレイを支持するとともにスライドレールを介して基体部に対して前後方向に移動可能に設けられたディスプレイ支持部とからなり、前記ディスプレイ支持部には、前記基体部に当接するスイッチセンサが設けられ、前記ディスプレイ支持部が前記基体部から引き出された時に、前記スイッチセンサが前記基体部から離間されることで、前記ディスプレイ支持部が基体部に対して前方に移動されていることを検知して前記昇降台の駆動電源をＯＦＦとし、前記昇降台の昇降作動を停止する作動停止手段が設けられていることを特徴としている。
この特徴によれば、ディスプレイが天板上に上昇されたときに、昇降台に設けられたディスプレイ支持部を手前に引き出すことによりディスプレイを使用者側に引き寄せることが出来るため、ディスプレイ自体に特別な機構を設けることなく、ディスプレイを支持部に取り付けるだけで、天板の広い机等においても使用者はディスプレイを好適な位置に引き寄せて使用することが出来る。
【０００８】
また、ディスプレイ支持部が前方に引き出されたまま昇降動作が行われることがないため、ディスプレイやディスプレイ支持部が破損することがなく、安全である。
【０００９】
【発明の実施の形態】
以下、本発明の実施例を図面に基づいて説明すると、まず図１には本発明の実施例としてのディスプレイが内蔵された机１が示されており、２は天板、３、３は天板２を支持する脚体、４は特に図示しないコンピュータの本体部にケーブルを介して接続されたディスプレイ、５、５’は天板２上に出没自在に設けられたパネルをそれぞれ示している。このパネル５、５’は、本実施例においては主に前面に書類や写真等をピンナップすることが可能なピンナップボードとして利用することを目的として形成されている。
【００１０】
天板２の後側には、図２、３に示されるようにディスプレイ４を天板２上に出没自在とする開口部６が形成されており、この開口部６の下方には、天板２、脚体３、背板７、底板８、仕切板９、及び前記開口部６を開閉自在とする開閉蓋１０とから構成されるディスプレイ４の収納部Ｓ１が形成されている。本実施例における開閉蓋１０は、開閉動作が後述する昇降台１９を昇降させるモーター１４の駆動に連動して駆動する適宜モーター（図示略）により行われるようになっている。
【００１１】
また、天板２上におけるこの開口部６の前方位置には、パネル５、５’を天板２上に出没自在とする開口部１１、１１’が形成されており、この開口部１１、１１’の下方には、天板２、脚体３、底板８、仕切板９、幕板１２とから構成されるパネル５、５’の収納部Ｓ２が形成されている。
【００１２】
ディスプレイ４の収納部Ｓ１内には、ディスプレイ４を収納部Ｓ１内と天板２上との間を昇降可能とする昇降装置１３が設けられている。昇降装置１３は、底板８上に固設されるモーター１４と、収納部Ｓ１内上・下部、及び上下方向略中央部に、それぞれ後述する案内レール２３、２３間に水平方向に架設される軸部材１５ａ、１５ｂ、１５ｃに固着されたスプロケット１６ａ、１６ｂ、１６ｃに巻回されたチェーン１７と、このチェーン１７の所定箇所に固定部材１８を介して固定され、チェーン１７の駆動に伴い昇降するディスプレイ４の昇降台１９とから構成されている。
【００１３】
なお、図２に示されるように下方の軸部材１５ｂは、この一端部に固着されたプーリー２７と、モーター１４の駆動軸１４ａに固着されたプーリー１４ｂとに巻回された連結ベルト２０を介してモーター１４に連動されており、モーター１４の駆動によりチェーン１７が駆動するようになっている。また、このモーター１４の駆動、停止操作は、本実施例においては天板２の開口部６の隣に設けられたスイッチ２１を介して出来るようになっているが、別途箇所に設けられていてもよい。さらに、スイッチ２１の押圧操作により駆動するモーター１４の駆動量、駆動開始・停止制御等は、図示しない制御装置により行われ、種々に設定出来るようになっている。
【００１４】
ディスプレイ支持部としての昇降台１９は、図２、４に示されるように、上昇時にディスプレイ４を天板２上所定高さ位置に支持する基体部４０と、この基体部４０の下部に取り付けられる略Ｌ字型の固定金具４１とから構成されている。この基体部４０の後部には前述したチェーン１７の挿通用の凹部１９ａが形成されており、この凹部１９ａ内には、背板７の内面に、互いに外向きに開口するように上下方向に設けられた横断面略Ｃ字状の案内レール２３、２３、及び前述したチェーン１７が挿通されている。
【００１５】
そしてこの凹部１９ａ内を挿通する案内レール２３内を上下方向に摺動自在に案内されるガイドローラ２４の軸２５が取付板２６を介して固定金具４１に固着されているので、昇降台１９は案内レール２３を介して上下方向に移動可能に支持されている。なお、昇降台１９の上昇時において開口部６は基体部４０の周面により閉塞され、開口部６からの物品等の落下が防止されるようになっている。
【００１６】
基体部４０の上部には、ディスプレイ４の載置板４２を固定して支持する支持板４３が基体部４０に対して前方に摺動可能に設けられている。本実施例における支持板４３の摺動は、支持板４３の左右側下面より垂下される垂板４４外面と、基体部４０の側板４５の内面との間に介装されるスライドレール４６を介して行われるようになっている。ここで、この支持板４３によるディスプレイ４の前後方向の摺動は、手動あるいは自動いずれの方法で行われるようにしてもよい。
【００１７】
また、本実施例においては支持板４３の前面板４７の裏面に、通常時において基体部４０の前板４８の前面に当接する作動停止手段としてのスイッチセンサ４９が設けられており、支持板４３が基体部４０から引き出された時に、昇降台１９の駆動電源が自動的にＯＦＦになるようになっている。こうすることで支持板４３を引き出したままでの昇降台１９の下降動作が確実に防止されるようになっている。
【００１８】
さらに、スライドレール４６は最大延伸時において所定箇所が係止され、一方のレールからの他方のレールの逸脱が防止されているため、支持板４３が誤って逸脱されてしまうことはない。また、特に図示しないが、引き出し位置において互いのレール、もしくは支持板４３と基体部４０との間に適宜摩擦力等が生じて支持板４３が停止されるようになっていることが好ましい。
【００１９】
次に、パネル５、５’の説明を図２、３に基づいて説明すると、収納部Ｓ２内における仕切板９の内面には、先端がパネル５、５’の両側端にそれぞれ上下方向に形成される凹溝２８内に摺動自在に嵌合するガイド部材２９が固着されており、パネル５、５’が上下方向に移動可能に案内されるようになっている。
【００２０】
パネル５、５’には、パネル５、５’の後面下部に固着された巻取ローラ３０と、一端が仕切板９の上端に固着され、他端が巻取ローラ３０に固着された巻バネ３１とからなる定荷重バネ装置３２が設けられており、巻取ローラ３０に巻き付こうとする力でパネル５、５’が上方に付勢されており、パネル５、５’は収納位置にある時に、仕切板９の下端に固着された係止装置３３のパネル５、５’方向に付勢された係止ピン３４がパネル５、５’下部所定箇所に形成された係止凹部３５に係止されるようになっている。
【００２１】
この係止ピン３４と係止凹部３５との係止はパネル５、５’が収納位置にあるときに、天板２上に突出されるパネル５、５’の上端を上方に引き上げることで簡単に逸脱され、かつパネル５、５’を押し込むことで簡単に係止されるようになっている。よってパネル５、５’は定荷重バネ装置３２により小さな力で簡単に上方に引き上げることが出来るとともに、上方位置において巻バネ３１の巻き取り力により停止され、さらに下方に押圧すれば簡単に収納させることが出来るようになっている。
【００２２】
次に、このように構成された本発明の机１にあっては、ディスプレイ４を使用する場合、スイッチ２１を押圧操作することによりモーター１４が駆動され、まず図２に示されるように通常時において天板２の一部を構成する開閉蓋１０が開放され、ついで昇降台１９が収納部Ｓ１内下部の実線位置から上昇し、２点鎖線で示される位置にて停止され、ディスプレイ４が天板２上にて使用可能な状態となる。ここで、ディスプレイ４の位置が使用者から遠く見にくい場合等にあっては、支持板４３を手前に引き出すことで、ディスプレイ４の前後位置を調整することが出来る。
【００２３】
また、ディスプレイ４を収納する場合、支持板４３が手前に引き出されている場合にあってはディスプレイ４を奥方に押し込み、スイッチ２１をＯＮ操作することによりモーター１４が逆駆動され、昇降台１９が収納部Ｓ１内に下降されるとともに、開閉蓋１０が閉塞されて天板２上面の一部として有効に利用することが出来る。
【００２４】
なお、前述のように前面板４７の裏面には、支持板４３が引き出されているか否かを感知するスイッチセンサ４９が設けられているので、支持板４３が引き出された状態でスイッチ２１がＯＮ操作されても、昇降台１９が下降動作されることがないので、支持台４３及びディスプレイ４の破損事故等を効果的に防止することが出来る。
【００２５】
また、パネル５、５’は、例えばピンナップボードとして利用したい場合等において天板２上に突出された上端部を引き上げることで天板２上に容易に立設出来、不要なときは下方に押圧するだけで収納部Ｓ２内に簡単に収納しておくことが出来る。そしてこのパネル５、５’のうち、特にパネル５においては、ディスプレイ４の前方位置において収納、及び立設可能に設けられているため、ディスプレイ４が天板２上の使用状態にある場合においても、パネル５の前面がディスプレイ４により遮られることなく使用者はパネル５を利用することが出来る。
【００２６】
さらに、本実施例におけるパネル５、５’は天板２の左右にそれぞれ分割されているので、いずれか一方のパネルを使用状態とし、他方を収納させて利用することも可能である。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
例えば、本実施例中における支持板４３の引き出しストロークや摺動機構等は任意であり、種々に変形可能である。
【００２９】
【発明の効果】
本発明は以下の効果を奏する。
【００３０】
（ａ）請求項１項の発明によれば、ディスプレイが天板上に上昇されたときに、昇降台に設けられたディスプレイ支持部を手前に引き出すことによりディスプレイを使用者側に引き寄せることが出来るため、ディスプレイ自体に特別な機構を設けることなく、ディスプレイを支持部に取り付けるだけで、天板の広い机等においても使用者はディスプレイを好適な位置に引き寄せて使用することが出来る。
【００３２】
また、ディスプレイ支持部が前方に引き出されたまま昇降動作が行われることがないため、ディスプレイやディスプレイ支持部が破損することがなく、安全である。
【００３３】
【図面の簡単な説明】
【図１】本発明の実施例としてのディスプレイを内蔵する机の使用状態を示す斜視図である。
【図２】図１のＡ−Ａ断面図である。
【図３】図２のＢ−Ｂ断面図である。
【図４】昇降台の使用状態における作用を示す要部斜視図である。
【符号の説明】
１            机
２            天板
３            脚体
４            ディスプレイ
５、５’      パネル
６、１１      開口部
７            背板
８            底板
９            仕切板
１０            開閉蓋
１２            幕板
１３            昇降装置
１４            モーター
１４ａ          駆動軸
１４ｂ、２７    プーリー
１５ａ〜１５ｃ  軸部材
１６ａ〜１６ｃ  スプロケット
１７            チェーン
１８            固定部材
１９            昇降台
１９ａ          凹部
２０            連結ベルト
２１            スイッチ
２３            案内レール
２４            ガイドローラ
２５            軸
２６            取付板
２８            凹溝
２９            ガイドレール
３０            巻取ローラ
３１            巻バネ
３２            定荷重バネ装置
３３            係止装置
３４            係止ピン
３５            係止凹部
３６            ガイド部材
４０            基体部
４１            固定金具
４２            載置板
４３            支持板
４４            垂板
４５            側板
４６            スライドレール
４７            前面板
４８            前板
４９            スイッチセンサ（作動停止手段）
Ｓ１、Ｓ２      収納部
【図１】
0004086971.tif 000002
【図２】
0004086971.tif 000003
【図３】
0004086971.tif 000004
【図４】
0004086971.tif 000005